(57)【要約】【課題】集水部材を、簡単な構成で容易に着脱および固定する。【解決手段】断熱箱体１８には、物品の収納室２０およびその上方に位置して冷却器４２を備える冷却室３６が、冷却ダクト６０により内部に画成される。断熱箱体１８の内部後壁面１８ｂに、天井面１８ｃから所要間隔だけ離間して、内部後壁面１８ｂに開口した排水口５２を挟んで水平方向に延在する一対の支持部７０,７０が突設される。冷却ダクト６０は、後端部に排水管４８が接続され、この後端部の両隅角部から排水管４８に沿って延長部６２,６２が延出するよう形成される。冷却ダクト６０は、排水管４８を排水口５２に挿入すると共に、延長部６２,６２を支持部７０,７０に夫々載置して後部が支持されたもとで、前部を天井面１８ｃに固定して取付けられる。【選択図】図１
2005114180.tif 000002
【特許請求の範囲】
【請求項１】
物品の収納室(20)およびその上方に位置して冷却器(42)を備える冷却室(36)を内部に画成した断熱箱体(18)と、前記冷却室(36)の下方に配設されて前記断熱箱体(18)の内部後壁面(18b)との間に冷気吹出口(40)を画成すると共に、前記冷却器(42)から滴下する除霜水を受容する集水部材(60)とからなる貯蔵庫において、
前記内部後壁面(18b)に突設されて、前記断熱箱体(18)の天井面(18c)から所要間隔だけ離間する支持部(70)と、
前記集水部材(60)の前記内部後壁面(18b)と対向する後端部に突設され、前記支持部(70)に載置される延長部(62)と、
前記延長部(62)を支持部(70)に載置させたもとで、前記集水部材(60)の前部を前記断熱箱体(18)に固定する固定手段(54)とから構成した
ことを特徴とする貯蔵庫。
【請求項２】
前記支持部(70)の上面(70a)と天井面(18c)との離間間隔は、該支持部(70)に載置された前記延長部(62)の上方移動を天井面(18c)で規制し得る寸法に設定されている請求項１記載の貯蔵庫。
【請求項３】
前記延長部(62)の底部は、その後端部から前端部に向かうにつれて下方傾斜している請求項１または２記載の貯蔵庫。
【請求項４】
前記支持部(70)は、幅方向に離間して２箇所に突設されると共に、各支持部(70)に載置される前記延長部(62)が前記冷気吹出口(40)を挟んで突設され、両支持部(70,70)の間で前記集水部材(60)と内壁面(18b)との間に画成された冷気吹出口(40)の下方に臨む内部後壁面(18b)に、上下方向に延在する冷気流通凹部(72)が凹設されている請求項１〜３の何れかに記載の貯蔵庫。
【発明の詳細な説明】
【技術分野】
【０００１】
この発明は、物品の収納室およびその上方に位置する冷却室を内部に画成した断熱箱体を有する貯蔵庫に関し、更に詳細には、冷却室内に配設した冷却器から滴下する除霜水を、該冷却器の下方に配設した集水部材で受けるようにした貯蔵庫に関するものである。
【背景技術】
【０００２】
野菜や果実その他肉や魚等の物品を冷蔵または冷凍貯蔵するものとして、断熱箱体内に物品貯蔵用の収納室を画成し、この収納室内に冷却器で冷却した冷気を循環させて該収納室内を直接的に冷却するよう構成した貯蔵庫が知られている。この貯蔵庫の一例を、図６に示す。図示の貯蔵庫１０は、前面側に大きく開放する矩形状開口部を有する外箱１２と、この外箱１２内に所要の間隙を保持して組込まれ、同じく前面側に大きく開放する内箱１４と、両箱１２,１４間に充填した発泡ウレタン等の断熱材１６とからなる断熱箱体１８を有している。そして、前記断熱箱体１８の内部に、物品貯蔵用の収納室２０が画成されると共に、該断熱箱体１８の前面には、当該断熱箱体１８に開設した各開口部１８ａと対応して、該開口部１８ａを開閉可能に閉成する断熱扉２２が配設されている。また、前記断熱箱体１８の上方には、圧縮機２８や凝縮器３０および凝縮器用ファン３２等からなる冷却装置２６が配設される機械室２４が画成される。
【０００３】
前記断熱箱体１８の内部上方(収納室２０と機械室２４との間)には、内箱１４の天井面１８ｃから離間する下方位置に冷却ダクト(集水部材)３４が配設され、該冷却ダクト３４の上方に冷却室３６を画成している。この冷却室３６は、前記冷却ダクト３４の底部における前側に形成した吸込口３８および後側に形成した冷気吹出口４０を介して前記収納室２０に連通すると共に、前記冷却装置２６に接続する冷媒管を介して循環供給される冷媒で冷却される冷却器４２が、該冷却室３６に収納配置されている。また前記吸込口３８には、前記収納室２０に臨む状態で送風ファン４４が配設されている。そして、この送風ファン４４を回転させると、前記吸込口３８を介して冷却室３６に吸引された収納室２０内の空気が冷却器４２に吹付けられ、該冷却器４２に接触して熱交換した空気が、冷気となって冷却室３６から前記冷気吹出口４０を介して収納室２０に吹出される。更に冷気は、前記収納室２０内を循環して、吸込口３８を介して再び冷却室３６内に戻るサイクルを反復するよう構成される(図６における矢印参照)。
【０００４】
前記冷却器４２の下方に配設される前記冷却ダクト３４は、該冷却器４２から滴下する除霜水等を受容する露受皿としても機能して、受容した除霜水を排出するための排水管４８が該冷却ダクト３４の後端部側に接続されている。また、前記断熱箱体１８における後側の壁内に設けた排水用パイプ５０の排水口５２が、前記冷却室３６内に臨む該断熱箱体１８の内部後壁面１８ｂ側で開口しており、前記冷却ダクト３４に受容された除霜水等が、排水管４８を介して排水口５２に排出されるよう構成されている。
【０００５】
前記冷却ダクト３４は、上方に開口した箱状体であって、上端部が外方に折曲されてフランジ部３４ａが形成されている。そして、このフランジ部３４ａを前記断熱箱体１８の天井面１８ｃに当接させてネジ等の固定手段５４で固定することで、該天井面１８ｃに組付けられる。しかし、前記冷却ダクト３４において、内部後壁面１８ｂまたは側壁面に近接して設けられる固定部位は、前記開口部１８ａが開設された前側の固定部位と違って前記冷却ダクト３４の壁面と断熱箱体１８の壁面との間が狭いため、組付け作業に大変手間がかかっていた。そこで、冷却ダクトの一側部を冷却ユニットのベース部材または天井面に取付けられた係止部材に対して着脱自在、かつ回動自在に係合させると共に、該冷却ダクトの他側部を天井面に固定することで、冷却ダクトの組付けおよび点検作業を容易にする構成が提案されている(例えば、特許文献１参照)。
【特許文献１】特開２０００−２５８０４１号公報
【発明の開示】
【発明が解決しようとする課題】
【０００６】
ところで、特許文献１に開示された冷却ダクトの配設構造は、冷却ダクトの一側部を支持する係止部分の構成が複雑であるため、製造コストが増大してしまう問題が指摘される。
【０００７】
すなわちこの発明は、従来の技術に係る貯蔵庫に内在する前記問題に鑑み、これらを好適に解決するべく提案されたものであって、集水部材を簡単な構成で容易に着脱および固定し得る貯蔵庫を提供することを目的とする。
【課題を解決するための手段】
【０００８】
前記課題を克服し、所期の目的を達成するため、本発明に係る貯蔵庫は、
物品の収納室およびその上方に位置して冷却器を備える冷却室を内部に画成した断熱箱体と、前記冷却室の下方に配設されて前記断熱箱体の内部後壁面との間に冷気吹出口を画成すると共に、前記冷却器から滴下する除霜水を受容する集水部材とからなる貯蔵庫において、
前記内部後壁面に突設されて、前記断熱箱体の天井面から所要間隔だけ離間する支持部と、
前記集水部材の前記内部後壁面と対向する後端部に突設され、前記支持部に載置される延長部と、
前記延長部を支持部に載置させたもとで、前記集水部材の前部を前記断熱箱体に固定する固定手段とから構成したことを特徴とする。
【発明の効果】
【０００９】
本発明に係る貯蔵庫によれば、集水部材の延長部を支持部に載置することで後部を支持したもとで、その前部を断熱箱体に固定して集水部材を取付けるよう構成したから、簡易な構成で集水部材の組付けを容易にすることができる。また、支持部の上面と天井面との離間間隔が、支持部に載置された延長部の上方移動を天井面で規制し得る寸法に設定されているため、集水部材を設置した際に、集水部材の後部における上下方向のがたつきを抑制することができる。延長部は、後端部から前端部に向かうにつれて下方傾斜しているから、該延長部に付着した結露水は集水部材内に導かれ、延長部の下方に位置している収納室に収納された物品に、結露水が滴下することを防止し得る。更に、内部後壁面に一対の支持部を突設し、集水部材と内部後壁面との間に画成された冷気吹出口の下方に臨む内部後壁面に、上下方向に延在する冷気流通凹部を凹設することで、収納室内の冷気の循環を助け、冷却効率を向上させ得る利点がある。
【発明を実施するための最良の形態】
【００１０】
次に、本発明に係る貯蔵庫につき、好適な実施例を挙げて、添付図面を参照して以下に説明する。なお、説明の便宜上、図６に示した貯蔵庫の構成要素と同一の要素については、同一の符号を使用して詳細な説明は省略する。
【実施例】
【００１１】
図１または図２に示すように、実施例の貯蔵庫１１は、外箱１２と内箱１４の間に断熱材１６を発泡充填してなる本体としての断熱箱体１８の内部に、食品や飲料品等の物品を収納する収納室２０と、その上方に位置する冷却室３６とが冷却ダクト(集水部材)６０により画成される。すなわち、前記冷却室３６は、前記収納室２０の上部に配設された冷却ダクト６０と前記断熱箱体１８(内箱１４)の天井面１８ｃとの間に画成され、該冷却室３６には、断熱箱体１８の上方に画成された機械室の冷却装置から冷媒が循環供給される冷却器４２および送風ファン４４が収納される。なお、前記冷却器４２の下方に位置する冷却ダクト６０は該冷却器４２から滴下する除霜水等を受容する露受皿としても機能している。また、前記断熱箱体１８には、前面側に開放して物品の出し入れ口となる開口部１８ａが前記収納室２０に連通して開設される。なお、前記冷却器４２は、前記送風ファン４４と後述する排水管４８との間に位置するように配置され、図示しない機械室のベース部材に固定されている。一方、前記送風ファン４４は、前記冷却ダクト６０に組付けられている。
【００１２】
前記断熱箱体１８には、その後側の壁部に内包するよう排水部材４６が配設される。この排水部材４６は、フランジ付きのエルボであって、内箱１４にフランジを当接させて一方の開口を前記冷却室３６の内部に臨ませ、該冷却室３６に連通する排水口５２を形成すると共に、他方の開口は排水用パイプ５０に連結している。この排水用パイプ５０は、前記断熱箱体１８の前記壁部内に延設され、該断熱箱体１８の下方に設置されたドレンパン(図示せず)の内方に、その出口が臨むよう構成される。すなわち、前記排水口５２は、前記冷却室３６および収納室２０の壁面を構成する断熱箱体１８の内部後壁面１８ｂの上部位置において、幅方向の略中央部に開口している(図３参照)。
【００１３】
前記内部後壁面１８ｂには、前記天井面１８ｃから所要間隔だけ離間して位置する前記排水口５２を挟んで、一対の支持部７０,７０が突設されている。前記支持部７０,７０は、前記断熱箱体１８の内部側壁面と内部後壁面１８ｂとが交差する両隅角部から内方に向けて水平に延在し、中央部分は切り欠かれて後述する冷気吹出口４０として機能するようになっている(図２参照)。なお、前記支持部７０の上面７０ａと天井面１８ｃとの離間間隔は、該支持部７０に載置される前記延長部６２の上方移動を天井面１８ｃで規制し得る寸法に設定される。各支持部７０の上面７０ａは、前記内部後壁面１８ｂから離間するにつれて下方傾斜するよう形成されると共に、両支持部７０,７０の向かい合う面は、上下に垂直に延在するようになっている。なお、実施例の各支持部７０は、内部後壁面１８ｂから該支持部７０の先端部に向かうにつれて先細り状になるよう形成される。
【００１４】
更に、前記冷気吹出口４０の下方に位置する内部後壁面１８ｂには、前記一対の支持部７０,７０の間であって、該冷気吹出口４０から吹出される冷気に対応する位置に、２条の冷気流通凹部７２,７２が幅方向に離間して凹設されている(図３参照)。前記冷気流通凹部７２,７２は、前記断熱箱体１８の内部後壁面１８ｂに上下方向に沿って形成され、その下端部は断熱箱体１８の底部に近接する位置まで延在している。前記断熱箱体１８において、前記収納室２０および冷却室３６の壁面を構成する内箱１４は、例えば合成樹脂の成型品であって、真空成形等の所要の成形方法により形成される。従って、前記支持部７０,７０および冷気流通凹部７２,７２は、前記断熱箱体１８の内部側壁面に形成される複数の棚受部５６と同様に、内箱１４における後側の壁面を内方に向けて突出または凹設することで一体的に形成されている。
【００１５】
図４に示すように、前記冷却ダクト６０は、前記冷却器４２の下方に配設される上方が開口した平面視において長方形状の箱体であって、合成樹脂の成型品等が採用される。この冷却ダクト６０は、その長辺が前記収納室２０における前後方向に延在するよう配置され(図２参照)、前記冷却器４２の下方に延在し、集水部分として機能する底板６４に、その外周縁における前部および側部から立上がる第１側板６６が一体的に形成されると共に、この第１側板６６の上端縁は、外方に折曲されてフランジ部６６ａが形成されている。一方、前記底板６４における外周縁の後部から立上がる第２側板６７は、前記第１側板６６より低く設定され、該底板６４と一体形成される。また前記底板６４は、前記フランジ部６６ａが折曲形成された冷却ダクト６０の上端縁に対して、前記収納室２０の前側から後側に向けて下方傾斜するよう形成されており、その傾斜下端部には排水管４８が接続されている。なお、前記冷却ダクト６０の前側に位置するフランジ部６６ａには、左右方向(幅方向)に離間して一対の挿通孔６６ｂ,６６ｂが穿設されている。また、前記底板６４の前端部の近傍には、前記送風ファン４４における羽根４４ａの外周縁に略整合する吸込口３８が開設されており、該送風ファン４４の羽根４４ａが該吸込口３８に臨むと共に、前記収納室２０と冷却室３６とを連通している。前記吸込口３８には、前記収納室２０側からファンカバー５８が被せられ、使用者が前記送風ファン４４の羽根４４ａと接触しないように保護している。
【００１６】
前記冷却ダクト６０において、前記排水管４８を接続した後端部側で、かつ前記断熱箱体１８の内部後壁面１８ｂに臨む両隅角部の夫々には、該後端部から内部後壁面１８ｂに向けて延在する前記排水管４８に沿って延出する延長部６２,６２が一体的に形成されている。前記延長部６２,６２は、その底面６２ａにおける外周縁が立上がって皿状に形成され、その立上がり部分は前記第２側板６７に一体的に連設されている。各延長部６２の底部は、その先端部(後端部)から前端部(第２側板６７側)に向かうにつれて下方傾斜するよう形成される。すなわち、前記延長部６２の底面６２ａは、前記冷却ダクト６０における前記冷却器４２の下方に延在する底板６４に向かうにつれて下方傾斜している。また、前記延長部６２,６２の外底面と前記冷却ダクト６０の上端縁であるフランジ部６６ａとの間の寸法は、前記支持部７０の上面７０ａと天井面１８ｃとの離間間隔より若干大きくなるよう設定される。そして、前記延長部６２,６２における左右方向の離間間隔は、前記排水口５２を挟んで突設された支持部７０,７０に夫々載置し得る寸法に設定される。
【００１７】
図１に示すように、前記冷却ダクト６０は、前記排水管４８を排水口５２に挿入し、前記延長部６２,６２を内部後壁面１８ｂに突出形成した支持部７０,７０の上面７０ａ,７０ａに夫々載置して該冷却ダクト６０の後部を支持させたもとで、前記フランジ部６６ａを前記断熱箱体１８の天井面１８ｃに当接させて、前側のフランジ部６６ａに穿設した挿通孔６６ｂ,６６ｂを介してネジ等の固定手段５４,５４により天井面１８ｃに前部を固定することで取付けられている。なお、前記冷却ダクト６０の後端部には、前記排水管４８の下方および側方を囲繞する溢水受け部６８が延設され、排水管４８の閉塞時における除霜水の流出を防止している。また、前記溢水受け部６８の端部と前記断熱箱体１８の内部後壁面１８ｂとの間には、前記排水管４８の外面と前記排水口５２の内面との間に画成される隙間を覆うように、該排水管４８に外挿したパッキン７４が配設される。
【００１８】
前記冷却ダクト６０において、前述したように第２側板６７は、第１側板６６より低く設定され、この第２側板６７の上端縁と前記断熱箱体１８の天井面１８ｃとの間に開設された開口が、冷気の流出口として機能する。また、左右方向に離間する一対の支持部７０,７０に載置された一対の延長部６２,６２の間で、かつ前記冷却ダクト６０の後端部と断熱箱体１８の内部後壁面１８ｂとの間に画成される隙間が、冷却室３６から収納室２０に連通する冷気吹出口４０となっている。この冷気吹出口４０は、前後方向に横切って前記排水口５２に挿入されている前記排水管４８で、左右方向に２分割される。そして、前記冷気流通凹部７２,７２は、２分割された冷気吹出口４０,４０の夫々に対応する下方位置に凹設してある。更に、前記断熱箱体１８の内部側壁面に臨んで前記延長部６２,６２と天井面１８ｃとの間に開設した隙間も、冷気の吹出口として機能し、該内部側壁面に沿って冷気を循環させ、前記収納室２０内の好適な冷却を補助している。
【００１９】
〔実施例の作用〕
次に、実施例に係る貯蔵庫の作用について説明する。先ず、前記冷却ダクト６０を断熱箱体１８の内部に組付ける作業について説明する。前記冷却ダクト６０を、前側を下にして傾斜させた状態で、この冷却ダクト６０の後端部に接続された排水管４８を、前記断熱箱体１８の内部後壁面１８ｂに設けられた一対の支持部７０,７０の間に開口する排水口５２に挿入すると共に、該冷却ダクト６０の各延長部６２を対応する各支持部７０の上面７０ａに夫々載置する(図５(ａ)参照)。このとき、前記冷却ダクト６０は、先ず前記排水口５２に排水管４８を挿入する構成であるので、断熱箱体１８に対する左右方向および上下方向の位置決めが容易であり、確実に各延長部６２を対応する支持部７０の上面７０ａに導くことができる。また、各支持部７０の上面７０ａは、内部後壁面１８ｂから離間するにつれて下方傾斜しているので、下方から傾斜状態で載置される各延長部６２が、この傾斜に沿って案内され、更に冷却ダクト６０の位置決めを容易にしている。
【００２０】
そして、前記冷却ダクト６０を、前記延長部６２,６２と前記支持部７０,７０との当接部位を回動支点として前側を上方に回動させると共に、この冷却ダクト６０自体を内部後壁面１８ｂ側に押し込む。前記冷却ダクト６０の後端部に設けられ、前記排水管４８を囲繞する溢水受け部６８が、パッキン７４を介して内部後壁面１８ｂに当接すると共に、該冷却ダクト６０の上端縁に位置するフランジ部６６ａが天井面１８ｃに当接して、底板６４と天井面１８ｃとの間に冷却室３６が画成される(図５(ｂ)参照)。ここで、前記延長部６２の外底面とフランジ部６６ａとの間の寸法は、前記支持部７０の上面７０ａと天井面１８ｃとの間の離間間隔より大きくなるように設定されているから、前記冷却ダクト６０の回動に伴って、記延長部６２の外底面とフランジ部６６ａとの間が縮むように延長部６２,６２が上方に向けて弾性変形していく。すなわち、前記冷却ダクト６０の延長部６２,６２は、前記支持部７０,７０に対して下方へ押圧力を付加した状態で、天井面１８ｃと支持部７０,７０との間に後端部が挟持される。また、各延長部６２の外底面は、後端部から前端部に向かうにつれて下方傾斜すると共に、各支持部７０の上面７０ａは、内部後壁面１８ｂから離間するにつれて下方傾斜しているので、前記冷却ダクト６０を内部後壁面１８ｂに向けて押し込むにつれてくさびのように冷却ダクト６０が天井面１８ｃと支持部７０との間に挟持される。なお、前記天井面１８ｃと摺接する冷却ダクト６０の上端縁における後端部側の角部分が、円弧状に湾曲形成されているので、該冷却ダクト６０の回動に際して、冷却ダクト６０が引っ掛かることはない。更に、前記排水管４８の先端部は、開口端に向かうにつれて下方傾斜するよう切り欠かれているので、挿入に際して該排水管４８が排水口５２に引っ掛かることはない。
【００２１】
最後に、前記冷却ダクト６０の前側に位置するフランジ部６６ａに設けられた挿通孔６６ｂ,６６ｂに、ネジ等の固定手段５４,５４を挿通して、天井面１８ｃに螺挿することで冷却ダクト６０の前端部が固定される(図１参照)。このように、前記冷却ダクト６０の後端部側に形成された延長部６２,６２を支持部７０,７０に載置することで、この支持部７０,７０と天井面１８ｃとで冷却ダクト６０の後端部を挟持するよう構成したので、ネジ等による固定が難しかった後端部の固定作業を省略することができ、作業工数を減少させる利点がある。また、前記固定手段５４,５４による冷却ダクト６０の前端部の固定作業は、開口部１８ａが開設された広いスペースを利用して実施できるので、作業効率が向上する。更に、ネジ等の部品点数が減ることにより、製造コストを低減させることも可能である。そして、点検作業における冷却ダクト６０の取外しについては、前述した組付け作業と逆の作業を実施すればよい。実施例のように、前記冷却ダクト６０に送風ファン４４が組付けられる場合や、冷却ダクト６０が大型化しても、後端部を断熱箱体１８の支持部７０,７０に冷却ダクト６０の荷重を預けた状態で組付け作業を実施することができるので、冷却ダクト６０の組付け作業および取外し作業を容易に実施し得る。
【００２２】
前記冷却ダクト６０は、前記フランジ部６６ａと前記延長部６２の外底面との間の寸法を、前記支持部７０の上面７０ａと天井面１８ｃとの離間間隔より大きく設定し、該冷却ダクト６０を組付けた際に、縮む方向に弾性変形した前記延長部６２,６２の復元力を利用して、冷却ダクト６０の後部を天井面１８ｃと支持部７０,７０との間に固定できるようになっている。すなわち、前記冷却ダクト６０は、前部を固定手段５４,５４で固定するだけで、上下方向のがたつきを抑制することができ、しかもがたつき防止機能は、別に特別な部材を付加することなく達成することができる。
【００２３】
前述したように、前記内箱１４を型成形する場合、前記支持部７０,７０は内部後壁面１８ｂから突出先端部に向かうにつれて先細りになるよう形成してあるので、型抜きの都合上有利である。また、前記支持部７０,７０は、断熱箱体１８における隅角部に形成されているので、特に真空成形により内箱１４を形成する場合、一面のみを突出させていないので容易に成形することができる。
【００２４】
前記一対の支持部７０,７０において、向かい合う面を上下方向に垂直に形成することで、冷気吹出口４０から下方に向かって吹出される冷気が支持部７０,７０に沿って整流され、前記収納室２０の底部まで冷気が流通するようになる。従って、前記収納室２０内の温度分布のむらを無くすことができる。更に、前記排水管４８により左右に区分される前記冷気吹出口４０に対応して、一対の冷気流通凹部７２,７２を内部後壁面１８ｂに形成してあるから、収納室２０内における上下方向の冷気の流通を良好にし、更に冷気の循環を好適に促すことができ、冷却効率を向上させる効果を奏する。
【００２５】
前記延長部６２,６２を外周縁が立上がった皿状に形成すると共に、底面６２ａを後端部から前端部に向けて下方傾斜するよう形成することで、各延長部６２に溜った結露水を集水部分である底板６４に導いて排水管４８を介して排出することができる。すなわち、各延長部６２に付着した結露水が、収納室２０内へ流出することを防止して、収納した物品への水かかりによる品質の劣化等の問題を回避することが可能である。
【００２６】
なお、実施例では冷却ダクト６０が、冷却室３６を画成し、冷気の流通路として機能するだけでなく除霜水の露受皿を兼用する構成としたが、冷却ダクトと露受皿とを別体とした構成においても、本願発明の構成を採用可能である。
【図面の簡単な説明】
【００２７】
【図１】本発明の好適な実施例に係る貯蔵庫の要部を示す図２のＩ−Ｉ線断面図である。
【図２】実施例の貯蔵庫を示す横断平面図である。
【図３】実施例の貯蔵庫の断熱箱体を示す正面図である。
【図４】実施例の貯蔵庫の冷却ダクトを示す概略斜視図である。
【図５】実施例の貯蔵庫における冷却ダクトの組付け状況を示す側面図であって、(ａ)は組付け途中を示し、(ｂ)は組付け完了時を示す。
【図６】従来の貯蔵庫を示す縦断側面図である。
【符号の説明】
【００２８】
１８ 断熱箱体，１８ｂ 内部後壁面，１８ｃ 天井面，２０ 収納室，３６ 冷却室
４０ 冷気吹出口，４２ 冷却器，５４ 固定手段，６０ 冷却ダクト(集水部材)
６２ 延長部，７０ 支持部，７０ａ 上面
【図１】
2005114180.tif 000003
【図２】
2005114180.tif 000004
【図３】
2005114180.tif 000005
【図４】
2005114180.tif 000006
【図５】
2005114180.tif 000007
【図６】
2005114180.tif 000008